(57)【特許請求の範囲】
【請求項１】
柔軟なペーパー片の複数枚若しくは少なくとも表裏面層のみを柔軟なペーパー片とし中間層を他の水溶性の片とした複数枚を相互に接合又はその複数枚の内の少なくとも表裏面層を含むいくつかを接合し、一端部はその端部に引き出し方向に対して後方の位置となる内側切断ライン及び引き出し方向に対して前方の位置となる外側切断ラインが形成されるように段部の切断ラインとし、且つ内及び外側切断ラインを結ぶ連結切断ラインは内側切断ラインの端部となるペーパー片の側縁部側に傾斜した切断ラインとなるようにして片側に突出部を形成し、該突出部を引き出し手段としたペーパー積層体を形成し、該ペーパー積層体を上記切断ラインが同一方向となるように上下方向に積み重ね、該引き出し手段は同一形状で、積み重ねた上層と下層において該突出部を反転させた状態でその位置が交互にずれるように配置し、且つ最下部にあっては外方へ突出させ、該最下部の上層に位置するペーパー積層体は、その引き出し手段を該最下部のペーパー積層体の裏面側へ回し込んで重合し、以下順次、引き出し手段を下層に位置するペーパー積層体の裏面側へ回し込んで重合することにより上下の積み重ね方向において連続するペーパー積層体を得ることを特徴とするペーパー重合体。
【請求項２】
柔軟なペーパー片の複数枚若しくは少なくとも表裏面層のみを柔軟なペーパー片とし中間層を他の水溶性の片とした複数枚を相互に接合又はその複数枚の内の少なくとも表裏面層を含むいくつかを接合し、一端部はその端部に引き出し方向に対して後方の位置となる内側切断ライン及び引き出し方向に対して前方の位置となる外側切断ラインが形成されるように段部の切断ラインとし、且つ内及び外側切断ラインを結ぶ連結切断ラインは内側切断ラインの端部となるペーパー片の側縁部側に傾斜した切断ラインとなるようにして片側に突出部を形成し、該突出部を引き出し手段としたペーパー積層体を形成し、該ペーパー積層体を上記切断ラインが同一方向で上層及び下層が生じるように折り畳み、それらを上下方向に積み重ね、該引き出し手段は同一形状で、積み重ねた上層と下層において該突出部を反転させた状態でその位置が交互にずれるように配置し、且つ最下部にあっては外方へ突出させ、該最下部の上層に位置するペーパー積層体は、その引き出し手段を該最下部のペーパー積層体の折り畳まれた上層の裏面側へ回し込んで重合し、以下順次、引き出し手段を下層に位置するペーパー積層体の折り畳まれた上層の裏面側へ回し込んで重合することにより上下の積み重ね方向において連続するペーパー積層体を得ることを特徴とするペーパー重合体。
【請求項３】
ペーパー積層体は、該ペーパー積層体を構成するペーパー片或いは他の水溶性の片の少なくとも１枚か数枚に、大腸菌や他の各種雑菌を不通過とするペーパー片或いはそれらの菌を殺す薬品を沁み込ませた片を積層したことを特徴とする請求項１又は２のいずれかに記載のペーパー重合体。
【請求項４】
複数枚のペーパー片或いは他の水溶性の片は、それらが一単位のペーパー積層体となるように点、面、断続線状或いは連続線状等のエンボス接合により相互に接合又はその複数枚の内の少なくとも表裏面層を含む数枚を接合してなることを特徴とする請求項１ないし３のいずれかに記載のペーパー重合体。
【請求項５】
複数枚のペーパー片或いは他の水溶性の片は、それらが一単位のペーパー積層体となるように点、面、断続線状或いは連続線状等の水溶性連結手段により相互に接合又はその複数枚の内の少なくとも表裏面層を含むいくつかを接合してなることを特徴とする請求項１ないし３のいずれかに記載のペーパー重合体。
【請求項６】
水溶性連結手段として水溶性接着剤としたことを特徴とする請求項５に記載のペーパー重合体。
【請求項７】
水溶性連結手段として水溶性の糸又は紐としたことを特徴とする請求項５に記載のペーパー重合体。
【請求項８】
請求項１ないし７に記載のペーパー重合体を容器内に収納し、該容器には、ペーパー積層体の１個を引き出し手段により順次引き出すことができる取出口を形成し、該ペーパー積層体を取り出した後には、積み重ねた次に位置する他の積層体の引き出し手段が該取出口より露出するように重合してなることを特徴とするペーパー重合体収納容器。
【請求項９】
請求項１ないし７に記載のペーパー重合体を容器内に挿入自在のカートリッジに収納し、該カートリッジを容器内に収納し、該容器には、該カートリッジのペーパー積層体の１個を引き出し手段により順次引き出すことができる取出口を形成し、該ペーパー積層体を取り出した後には、積み重ねた次に位置する他の積層体の引き出し手段が該取出口より露出するように重合してなることを特徴とするペーパー重合体収納容器。
【請求項１０】
容器の底部内側が取出口に向かって下降するように傾斜してなることを特徴とする請求項８又は９のいずれかに記載のペーパー重合体収納容器。
【請求項１１】
重量物を最上位のペーパー積層体上に配置してなることを特徴とする請求項８に記載のペーパー重合体収納容器。
【請求項１２】
上方より下方に向けて付勢力を有する押し出し板を最上位のペーパー積層体上に配置してなることを特徴とする請求項８に記載のペーパー重合体収納容器。
【請求項１３】
カートリッジの背面側の側壁内側にペーパー積層体の後端部を引っ掛ける仕切材を突出形成し、該仕切材にペーパー積層体を引っ掛けて積み重ねてなることを特徴とする請求項９に記載のペーパー重合体収納容器。
【発明の詳細な説明】
【技術分野】
【０００１】
本発明は、複数枚の柔軟なペーパー片或いは他の水溶性の片を積層して一単位とした積層体を重ね合わせたペーパー重合体及び該ペーパー積層体を順次取り出して使用することを可能としたペーパー重合体収納容器に関するものである。
【背景技術】
【０００２】
近年、柔軟性のあるペーパー片が連続状態で使用することを可能とするために折り畳まれて重合されたり、ロール巻き状に重合されている。
使用者は、表面側に存在するペーパー片を引き出すこと或いは引き出したものを切断すること等により適宜用途に使用しているが、下記するトイレに使用する場合、鼻をかむ場合或いは何かを零して緊急に拭くことが要求される場合等にあっては、上記引き出す作業と引き出したものを重合する作業を行なわなくてはならず、即効性に欠け、極めて不便なものであった。
【０００３】
トイレを例にとって従来技術を説明すると、トイレで使用される紙は、近年、芯材を中心として巻かれたロール状トイレットペーパーが主流となり、該ペーパーの中心部の筒状芯にロールホルダーの棒状体を架け渡したり、両側から引っ掛けたりすることによりペーパーを回転自在に保持し、使用者は該筒状芯を中心として最先端部を引っ張ることにより巻かれたペーパーを回転させ、所定の量を引き出し、重ね合わせて使用している。
また、古くから、所定の大きさに裁断した柔軟性のあるペーパーを予め積み重ねておき、それらから所定枚数を重ね合わせて使用していた。
【０００４】
上記ロール状トイレットペーパーにあっては、必要とするペーパーを引き出して重ね合わせて使用しているが、統計上、必要とする以上の量が引き出されて使用されている結果となり、非経済的であった。特に公共の施設においては顕著であった。
【０００５】
また、使用毎に筒状芯に巻かれている帯状のペーパーを引き出して重ね合わせる作業をしなければならず、所定の時間を必要とした。更に、ペーパーには切断のためにミシン目等を入れたり、ホルダー側にペーパーをカットし易い工夫がなされているが、薄くて弱い紙のため切り取り面が不規則となったり、それらの一部が不使用ペーパー片となり、トイレ内を汚す原因の一つとなっていた。
【０００６】
更に、直接の使用者、介護者或いは病院関係者等が使用する際に生じる大腸菌は、通常のトイレットペーパー片ではその粗い目を通過して手に付着することになり、手を洗うことや拭き取ること等をして大腸菌を除去するまでにはドアの取手や他の何かに接することが多く、非衛生的であった。
【０００７】
また、公共の施設でのロールホルダーの材料は、耐久性及び汚れへの清掃の容易性を考慮してステンレス等の金属製のものが多く採用されており、帯状のペーパーを引き出す際にペーパー押え板が上下動して金属音を発することが多く、その音が外部へ漏れ、他者がその音を知ることになり、使用者にとっては極めて不快なものであった。
【０００８】
更に、トイレットペーパーの表面及び両側面は常に露出状態となっており、前使用者が表面側のトイレットペーパーに触れていることも考えられ、また、しばらく使用しないとホコリが付着する等、非衛生的であった。
【０００９】
また、少なくとも、トイレットペーパーのロールの直径分だけはトイレの壁面より使用者側へ突出することになり、狭い空間をより狭くしていた。これは、使用者がロール状のトイレットペーパーをトイレでしゃがんだ状態で引き出す必要があり、引き出し易い身体に近接した位置にロールホルダーを固定する必要があるからである。
【００１０】
他方、積み重ね式のトイレットペーパーは載置式となるため、公共施設では使用できないと同時に、一度の排便や排尿後に使用する量は上記同様、必要以上に多数枚となり、非経済的であった。
また、ティッシュボックスに収納されたペーパーのように、１枚１枚を引き出すタイプのものも使用されるが、同様に使用量が多くなり、非経済的であり、且つ重ね合わせる作業が伴っていた。
【００１１】
更に、街頭で配られるティッシュのような積層ペーパーも使用されるが、１枚１枚が小さく折り畳まれており、それらを広げて重ねる作業をしなくてはならないこと、及びそれらペーパーを包んでいるビニールや広告紙が便器内に流され、トイレの詰りの原因となったり、汚れの原因となっていた。
上記のようにトイレで使用される場合に沿って説明したが、このことはトイレに限らず、あらゆる場所で複数枚のペーパー片を瞬時に使用しなければならない場合、或いは衛生面や経済面を考慮した場合に生じる欠点であった。
【特許文献１】特開２０００−２７１０３７号公報
【発明の開示】
【発明が解決しようとする課題】
【００１２】
本発明は、上記欠点を解決したもので、必要とする所定量のペーパーが瞬時に使用できるようにすることを可能としたものである。特に１枚１枚を裁断したり引き抜くことによって生じる微細粉塵や切断片等の汚れの原因を排除することができ、衛生的且つ経済的に使用することを可能としたペーパー重合体である。また、ペーパー積層体を引き出し易いようにその一部が下層のペーパー積層体の裏面側に回し込まれ、先のペーパー積層体の取り出し後に次の引き出し手段が突出するように形成したペーパー重合体である。更に、ペーパー積層体を重合したものを容器に収納することにより、効率的に多くの使用可能なペーパーを収納することが可能となり、トイレのような狭い空間でも有効的に使用することのできるペーパー収納容器に関する。
【課題を解決するための手段】
【００１３】
本発明は、柔軟なペーパー片の複数枚若しくは少なくとも表裏面層のみを柔軟なペーパー片とし中間層を他の水溶性の片とした複数枚を相互に接合又はその複数枚の内の少なくとも表裏面層を含むいくつかを接合し、一端部はその端部に引き出し方向に対して後方の位置となる内側切断ライン及び引き出し方向に対して前方の位置となる外側切断ラインが形成されるように段部の切断ラインとし、且つ内及び外側切断ラインを結ぶ連結切断ラインは内側切断ラインの端部となるペーパー片の側縁部側に傾斜した切断ラインとなるようにして片側に突出部を形成し、該突出部を引き出し手段としたペーパー積層体を形成し、該ペーパー積層体を上記切断ラインが同一方向となるように上下方向に積み重ね、該引き出し手段は同一形状で、積み重ねた上層と下層において該突出部を反転させた状態でその位置が交互にずれるように配置し、且つ最下部にあっては外方へ突出させ、該最下部の上層に位置するペーパー積層体は、その引き出し手段を該最下部のペーパー積層体の裏面側へ回し込んで重合し、以下順次、引き出し手段を下層に位置するペーパー積層体の裏面側へ回し込んで重合することにより上下の積み重ね方向において連続するペーパー積層体を得るペーパー重合体を特徴とする。
【００１４】
また、柔軟なペーパー片の複数枚若しくは少なくとも表裏面層のみを柔軟なペーパー片とし中間層を他の水溶性の片とした複数枚を相互に接合又はその複数枚の内の少なくとも表裏面層を含むいくつかを接合し、一端部はその端部に引き出し方向に対して後方の位置となる内側切断ライン及び引き出し方向に対して前方の位置となる外側切断ラインが形成されるように段部の切断ラインとし、且つ内及び外側切断ラインを結ぶ連結切断ラインは内側切断ラインの端部となるペーパー片の側縁部側に傾斜した切断ラインとなるようにして片側に突出部を形成し、該突出部を引き出し手段としたペーパー積層体を形成し、該ペーパー積層体を上記切断ラインが同一方向で上層及び下層が生じるように折り畳み、それらを上下方向に積み重ね、該引き出し手段は同一形状で、積み重ねた上層と下層において該突出部を反転させた状態でその位置が交互にずれるように配置し、且つ最下部にあっては外方へ突出させ、該最下部の上層に位置するペーパー積層体は、その引き出し手段を該最下部のペーパー積層体の折り畳まれた上層の裏面側へ回し込んで重合し、以下順次、引き出し手段を下層に位置するペーパー積層体の折り畳まれた上層の裏面側へ回し込んで重合することにより上下の積み重ね方向において連続するペーパー積層体を得るペーパー重合体を特徴とする。
【００１５】
更に、ペーパー積層体は、該ペーパー積層体を構成するペーパー片或いは他の水溶性の片の少なくとも１枚か数枚に、大腸菌や他の各種雑菌を不通過とするペーパー片或いはそれらの菌を殺す薬品を沁み込ませた片を積層したペーパー重合体を特徴とする。
【００１６】
また、複数枚のペーパー片或いは他の水溶性の片は、それらが一単位のペーパー積層体となるように点、面、断続線状或いは連続線状等のエンボス接合により相互に接合又はその複数枚の内の少なくとも表裏面層を含む数枚を接合してなるペーパー重合体を特徴とする。
【００１７】
更に、複数枚のペーパー片或いは他の水溶性の片は、それらが一単位のペーパー積層体となるように点、面、断続線状或いは連続線状等の水溶性連結手段により相互に接合又はその複数枚の内の少なくとも表裏面層を含むいくつかを接合してなるペーパー重合体を特徴とする。
【００１８】
また、水溶性連結手段として水溶性接着剤としたペーパー重合体を特徴とする。
【００１９】
更に、水溶性連結手段として水溶性の糸又は紐としたペーパー重合体を特徴とする。
【００２０】
また、上記ペーパー重合体を容器内に収納し、該容器には、ペーパー積層体の１個を引き出し手段により順次引き出すことができる取出口を形成し、該ペーパー積層体を取り出した後には、積み重ねた次に位置する他の積層体の引き出し手段が該取出口より露出するように重合してなるペーパー重合体収納容器を特徴とする。
【００２１】
更に、上記ペーパー重合体を容器内に挿入自在のカートリッジに収納し、該カートリッジを容器内に収納し、該容器には、該カートリッジのペーパー積層体の１個を引き出し手段により順次引き出すことができる取出口を形成し、該ペーパー積層体を取り出した後には、積み重ねた次に位置する他の積層体の引き出し手段が該取出口より露出するように重合してなるペーパー重合体収納容器を特徴とする。
【００２２】
また、容器の底部内側が取出口に向かって下降するように傾斜してなるペーパー重合体収納容器を特徴とする。
【００２３】
更に、重量物を最上位のペーパー積層体上に配置してなるペーパー重合体収納容器を特徴とする。
【００２４】
また、上方より下方に向けて付勢力を有する押し出し板を最上位のペーパー積層体上に配置してなるペーパー重合体収納容器を特徴とする。
【００２５】
更に、カートリッジの背面側の側壁内側にペーパー積層体の後端部を引っ掛ける仕切材を突出形成し、該仕切材にペーパー積層体を引っ掛けて積み重ねてなるペーパー重合体収納容器を特徴とする。
【発明の効果】
【００２６】
請求項１ないし７に記載したペーパー重合体及びペーパー重合体を収納した請求項８ないし１３の収納容器の発明により、従来のロール状に巻かれたペーパー或いは単に積み重ねられたペーパーで生じる必要以上に多く使用されることがなくなり、且つ、ロールペーパーの一部の切断残片や微細チリ又は使用時に散ったペーパー片等を減少させて周辺の汚れを少なくし、更に、使用時にペーパー片を重ね合わせる作業が必要なく、ペーパー積層体を取り出す作業のみで即使用することが可能となった。
【００２７】
また、各ペーパー片は、接合手段により積層一体化して一単位として取り扱うことができるので、ペーパー片の一部がずれる心配がなく、瞬時に使用することが可能となった。例えば、トイレで使用する場合、排便後や男女を問わない排尿後のように、従来行なっていた、数枚のペーパー片を重ねる作業がなくなった。このことは、各種集会や映画館のように一時に多数の者がつめかける既存のトイレ、或いは各種祭りやイベント等において臨時に設置されるトイレにあっては、いかに一人の使用時間を短縮するかが問題であるが、本発明によればペーパーを１枚１枚取り出す時間、それらを重ね合わせる時間等を省くことができ、使用者の渋滞の解消に極めて有効な手段となった。
更に、片手の不自由な身体障害者や老人或いは片手を怪我した者等にとって、片手のみでペーパー積層体を取り出して使用することができ、極めて便利なものとなった。
【００２８】
更に、請求項１に記載した発明により、ペーパー積層体の引き出し手段を指で摘んで引き出すことができると同時に、該ペーパー積層体を重合したときにその厚さに片寄りが生ぜず、且つ次のペーパー積層体の引き出し手段が順次スタンバイできる状態とすることが可能となった。
【００２９】
また、請求項２に記載した発明により、複数枚のペーパー片を一単位とした積層体を折り曲げて重合することを可能としたので、重合したもの全体の奥行を薄くすることができ、狭い空間での使用に極めて有効なものとなった。
【００３０】
更に、請求項３に記載した発明により、大腸菌や他の雑菌を通過しないペーパー片或いはそれらの菌を殺す薬品を沁み込ませた片を１枚或いは数枚を積層体の一部として予め積層しておくことができるので、そのつど異なったペーパー片を挟み込む作業をすることなく、各種菌が手に触れるのを防止することができ、直接の使用者或いは介護者や医療関係者にとって極めて衛生的なペーパー積層体を得ることが可能となった。
【００３１】
また、請求項４ないし７に記載した発明により、各ペーパー片は圧着、熱接着或いは水溶性の接合手段により相互に接合或いは複数枚の内の少なくとも表裏面層を含む数枚を接合して積層しているので、それら接合手段はペーパーとともに水に溶解し、廃棄後に汚染や排出管の詰りの原因となることが解消された。
【００３２】
更に、請求項８ないし１３に記載した発明により、複数枚のペーパー片を積層して一単位とした積層体をペーパー重合体収納容器に重合収納し、該積層体には引き出し手段が突出するように形成しているので、収納容器からの取り出しが容易であり、且つ下層より該積層体を引き出すと、次に位置している上層の積層体の引き出し手段が取出口から露出するように重合されており、使用者は順次、簡単に取り出すことができる。
【００３３】
また、カートリッジを採用することにより、容器内へのペーパー積層体の配置が容易となった。
【発明を実施するための最良の形態】
【００３４】
以下、本発明の実施の形態を図面に基づいて詳細に説明する。
【実施例１】
【００３５】
図１は、ペーパー積層体１の斜視図、同図２は、該積層体１を製造する前の状態を示す平面図である。該ペーパー積層体１は、複数枚のペーパー片２、該ペーパー片２の一端部より突出した突出端部３及び該ペーパー片２相互或いは複数枚のペーパー片２を中間層とし、それらを挟むようにして表裏面層或いは少なくとも表裏面層を含むいくつかの層を接合する連結手段４とより構成している。
【００３６】
上記ペーパー積層体１は、ペーパー片２を適数枚重ねて積層したもので、２枚〜２０枚程度の範囲内で選定される。
該ペーパー片２は、柔軟な材料のものが採用され、従来のトイレットペーパーやティッシュペーパーに使用されている粗い目を有する材料のもの、或いは一部に細かい目を有するものを組み込むことも可能である。また、水溶性の織布片や不織布片を積層体の一部とすることができる。また、ペーパーの製造時に出る破片や余った片或いは皺の付いた片等を中間層として採用することができる。上記片の厚さは、薄手のものから必要に応じて厚手のものまで使用される。従って弾力性のあるスポンジ状や綿状の水溶紙を使用することも可能である。更に、一部の片に雑菌を殺す薬品や水、香水等を沁み込ませることも可能である。それら各種片を含めて本明細書では全てペーパー片２とする。
【００３７】
図１に示すように、取り出し側となるペーパー積層体１には、指で把持して引き出すための突出端部３を一端部側に一部が突出した形状で形成している。該ペーパー積層体１は、帯状のもの或いは広面積のものを図２に示すように切断して製造するが、切断時に両側に突出端部３が形成できるようにして製造する。
【００３８】
また、切断ライン５に沿って切断することになるが、突出端部３、３の形状が同一の形状となるように切断する。該突出端部３の引き出し方向に対して後方の位置となる内側切断ライン及び引き出し方向に対して前方の位置となる外側切断ラインが形成されるように段部の切断ラインとし、且つ該内及び外側切断ラインを結ぶ連結切断ラインは内側切断ラインの端部となるペーパー片の側縁部側に傾斜した切断ライン６として形成する。傾斜した切断ライン６により、積層体１を引き出す時の引っ張り力が分散され、且つ重合された時に内側切断ライン側となる基部側に亀裂が生じるのを防止することができる。
上記切断ライン５の傾斜切断ライン６は、直線状としたが、これに限定することなく、図２（ｂ）に示すアームを設けたＳ字形やそれに近いもの、図２（ｃ）に示す全体がＳ字形のもの等が考えられる。図２（ａ）に示すように突出端部３としてある程度の幅Ｓが得られ、且つ引っ張り力が作用した時に切断しにくいものであれば良い。
【００３９】
上記のようにして切断したペーパー片２を適数枚重ねて積層するが、突出端部３をそろえて積層することの他、最上部と最下部に位置するペーパー片２のみに突出端部３を形成し、中間層には必要幅Ｗに近接した幅を有する矩形状のものを配設して積層体の一単位としても良い。
上記ペーパー片の全体形状は、矩形状に限定されるものではなく、円形、楕円形やそれに近い形状のもの、ハート形、菱形やそれに近い形状のもの、隅部のみを切り欠いた変形八角形状のもの等様々なものが考えられる。
【００４０】
上記により、ペーパー積層体１は、必要幅Ｗを確保し、指で引き出すための突出端部３となる幅Ｓを確保することが可能となる。切断ライン５に沿ってペーパーを切断した後、それらペーパー片２を適数枚積み重ねる。該ペーパー片２は、予め二重や三重に形成しておくことも可能であるが、それらを更に積み重ねて所定枚数とする。所定枚数に積み重ねられたペーパー片２をその側端部或いは左右前後の適宜箇所において相互に連結する。図１に示す連結手段４は、引き出す方向に対して直交する方向を連結しているが、同一方向に設けることもできる。
【００４１】
連結手段４としては圧力によるエンボス連結、熱加圧によるエンボス連結、粉を主成分とする水溶性の接着剤による連結、或いは水溶性の糸や紐等により連結することができる。上記連結は、スポット的、連続的或いはミシン目のように断連続しても良い。
また、上記のように、中間層に複数枚のペーパー片を配設し、最上部と最下部とを連結或いは中間層の一部を含めて連結しても良い。
図３に示すように、該突出端部３、３は、一方側の片を反転させた状態で一端部側に位置するようにして各ペーパー片２を重合する。突出端部３、３の突出位置が交互に積み重なることになる。
【００４２】
このままの状態でペーパー積層体１を積み重ねると、取り出しが困難である。そこで図４に示すように、突出端部３、３を予め下方側に折り返し、下層のペーパー積層体１の裏面側へ回し込んで重合する。これにより下方側の積層体１を引き出すと、該下方側の積層体１の先端部により、上記裏面側へ折り返されている突出端部３の折り返し部分が元に戻ることになり、下層側の積層体１を引き出した時点では、上記上層側の積層体１の突出端部３が突出することになる。
【００４３】
従って、図３に示すペーパー積層体１の突出端部３を図４に示す下層のペーパー積層体１の裏面へ回し込んで重合した場合は、突出する突出端部３は、交互にその位置を換えて突出することが可能となる。
また、これにより片側にのみ突出端部３が重合されることを回避することができ、重合厚さを均等にすることが可能となる。
【００４４】
図５、６は参考例で、図５は、ペーパー積層体７をロール状に巻装したペーパー重合体８の斜視図、同図６は、該積層体７が帯状に連結されている状態を示す平面図である。上記同様、ペーパー積層体７は、ペーパー片２を２枚〜２０枚程度の範囲内で積層したものである。
【００４５】
図５、６で示すように、ペーパー積層体７には、指で把持して引き出すための突出端部９を一端部側に一部が突出した形状で形成している。
【００４６】
該ペーパー積層体７は、複数枚のペーパー片が積層された状態で連続的に連結され、上記同様必要幅Ｗを確保し、且つ突出端部９を形成しながらミシン目等の分離可能な脆弱部分を形成し、該部分を切断部分とする切断ライン１０を形成しながら巻装している。使用者は切断ライン１０に沿って切断することになるが、切断時の引っ張りにより突出端部９の内側側部に亀裂が生じないように図２に示すような補強対策用の形状を形成しておくことができる。
【００４７】
該ペーパー積層体７は、ペーパー片を相互に一体化するために、前後左右を含め適宜箇所で連結する。
図６に示すものは、帯状に形成したペーパー重合体８の長手方向の両側縁部に沿って連結手段１１を形成している。
連結手段としては加圧或いは熱加圧による熱加圧エンボス連結、無機系の糊を主成分とする水溶性の接着剤、或いは水溶性の糸や紐等により連結することができる。
上記では、ペーパー積層体１、７を上下方向に積み重ねた状態で説明したが、該ペーパー積層体１、７を立設して横方向に重ねることも可能である。
【実施例２】
【００４８】
図７は、本発明のペーパー重合体をペーパー重合体収納容器１２に収納した状態を示す斜視図、同図８は、その断面図を示している。該ペーパー重合体収納容器１２は、ペーパー積層体１３を重ねて配置するための空間１４を形成する周囲の側壁１５、底部１６、蓋部１７及び該空間１４内に配置されたペーパー積層体１３を外方へ取り出すための下方部に形成した取出口１８とより構成している。
【００４９】
上記ペーパー積層体１３は、上記実施例１に示すペーパー片を適数枚重ねて積層したものである。
上記ペーパー積層体１３をそのまま積み重ねると、突出端部１９は、容器１２の内側壁に押しつぶされることになるが、突出端部１９は予め下方側に折り返し、下層のペーパー積層体１３の裏面側へ回し込んで重合しているので、下方側の積層体１３を引き出すと、該下方側の積層体１３の先端部により、上記裏面側へ折り返されている突出端部１９の折り返し部分が元に戻ることになり、下層側の積層体１３を引き出しきった時には、上記上層側の積層体１３の突出端部１９は取出口より突出することになる。
【００５０】
従って、取出口１８から突出する突出端部１９は、本実施例では交互にその位置を換えて突出することが可能となる。
上記ペーパー積層体１３は、必要量を重ねて収納容器内へ収納することになるが、該突出端部１９による上下層の連続状態がくずれないように、その反対側の端縁部等の上下層を簡略な連結手段により仮止めすることができる。この仮止めは、上記引き出し力によって容易に分離できる程度のものとする。
【００５１】
図８に示すように、ペーパー積層体１３を引き出す時に引き出し易いように、底部１６を取出口１８に向かって下降するように傾斜させておくことが可能である。
また、ペーパー積層体１３自身が軽量のため、引き抜く力によってペーパーが上方へ浮き上がることがあり、その浮き上がりを防止するための重しとして、合成樹脂板或いは金属板等の重量物２０を積層体１３の最上の位置に配置しておくことができる。
【００５２】
取出口１８は、高さ方向においては積層体１３の突出端部１９が外方へ突出できる大きさとする。また、図７、８では取出口１８を側壁１５の下部に形成したが、側壁１５と底部１６との角部或いは底部１６の先端側に形成してもよい。
【実施例３】
【００５３】
図９は、本発明のペーパー重合体収納容器の他の実施例を示すもので、例えばトイレ等の狭い場所において、内側への出の少ないペーパー重合体収納容器２１に関するものである。
上記実施例２では、使用状態となる面の広さを有するペーパー積層体をそのまま重合しているが、その面がほぼ半分となるように該積層体をそのほぼ中央部で折り曲げて重合することにより容器の出を半減することが可能となる。
【００５４】
図９のペーパー重合体収納容器２１は、ペーパー積層体２２を重ねて配置するための空間を形成する周囲の側壁２３、底部２４、蓋部２５及びペーパー積層体２２を取り出すための取出口２６とより形成している。
【００５５】
図１０に示すように、ペーパー積層体２２は、上記実施例１と同様な切断により製造する。従って、突出端部２７は収納容器２１外へ露出することになるが、本実施例では更に、一単位となるペーパー積層体２２をそのほぼ中央部で折り曲げる。上層の突出端部２７は、下層側へ折り曲げ、下層に位置しているペーパー積層体２２の折り曲げられた上部側の裏側へ回し込み、図１０に示すようにして重合する。
【００５６】
上記重合により、図１０（ｂ）のように、下層側のペーパーを矢印方向に引っ張ると、その折り曲げられた表面側のペーパーに回し込んだ上層の突出端部２７が引き抜き方向へ引き起こされることになる。
上記重ね構造よりなるペーパー積層体２２を下方側より引き抜くと、その引き抜き力によりその上層の突出端部２７が引き起こされ、取出口２６より外方へ露出することになり、次に使用するための準備が整うことになる。
【実施例４】
【００５７】
図１１は、本発明のペーパー重合体収納容器の他の実施例を示すもので、複数枚のペーパー片を積層して一単位としたペーパー積層体２８を立設して横方向に重ねたペーパー重合体収納容器２９の実施例である。
【００５８】
該ペーパー重合体収納容器２９は、周囲の側壁３０、底部３１、蓋部３２、ペーパー積層体２８を取り出すための取出口３３及び該取出口３３とは離れた側壁３０内側に形成した押し出し板３４とより形成している。該押し出し板３４は、バネ等の弾発体３５により取出口３３側となる矢印方向へ付勢している。
【００５９】
上記構成により、取出口３３よりペーパー積層体２８を取り出すと、次に位置しているペーパー積層体２８が取出口３３に位置するように形成することになる。隣接するペーパー積層体２８相互は、上記のように、突出端部３６が折り返して連結されているので、先のペーパー積層体２８を引き出すと、次の突出端部３６が取出口３３より外方へ突出することになる。
【００６０】
上記押し出し板を収納容器の底部側に設置し、取出口を上方側に形成することにより、該押し出し板の上方側への押し上げ力により、上方の取出口よりペーパー積層体を順次に取り出すことが可能となる。
また、図８に示した重量物２０に換えて上方より下方に向けた付勢力を有する押し出し板とすることにより、下方の取出口より安定的にペーパー積層体を取り出すことが可能となる。
【実施例５】
【００６１】
図１２は、本発明のペーパー重合体収納容器の他の実施例を示すもので、複数枚のペーパー片を積層して一単位としたペーパー積層体３７を積み重ねたものを瞬時に収納容器内へ収納することのできるカートリッジ形式のペーパー重合体収納容器３８に関するものである。
【００６２】
３９は、該ペーパー重合体収納容器３８内に挿入自在に形成したカートリッジで、ペーパー積層体３７の補給者は、蓋部３１を開放し、先に設置されているカートリッジ３９を抜き出し、新たにペーパー積層体３７が重合されているカートリッジ３９を挿入することになる。補給者はカートリッジ３９を交換する簡単な作業により、ペーパー積層体３７を補給することが可能となる。
【００６３】
上記カートリッジとしては、該ペーパー重合体収納容器３８の内形よりやや小さな箱状のもので、取出口側が開放しているものであればよい。また、収納容器３８内への出入を容易とするために出入のための把持手段を形成しておくと便利である。
図１２に示したカートリッジ３９は、Ｌ字形の簡便なもので、Ｌ字部分にペーパー積層体３７を載置し、紐４０により把持して収納容器３８内に挿入している。
【実施例６】
【００６４】
図１３は、本発明のペーパー重合体収納容器の他の実施例を示すもので、上記実施例５同様、カートリッジ形式のペーパー重合体収納容器４１を示している。
４２は、該収納容器４１内に挿入自在に形成したカートリッジで、該カートリッジ４２へのペーパー積層体４３の重合は、図１３の断面図に示すように、ペーパー積層体４３を一単位毎に一部分離して重合可能とするための仕切材４４を背面側の側壁内側に形成して重合している。該仕切材４４の突出長は１ｍｍ〜３０ｍｍとし、ペーパー積層体４３の後部側が引っ掛かる程度とする。
上記仕切材４４を使用する場合においても、上層に位置する積層体４３の突出端部は、下層側に巻き込んでいる。
【００６５】
下層からペーパー積層体４３を勢いよく引き抜くと、上記のように上層の突出端部が下層に位置する積層体４３に巻き込まれているので、下層の積層体４３に引っ張られて、上層の積層体４３が丸まる等の不都合が生じることがある。上記仕切材４４を形成することにより、各積層体の後端部分を上下に分離支持することができ、上記現象を回避することができる。上記構造により、下層の積層体４３を引き抜くと、上層の積層体４３はその厚さの分だけ斜めとなり、いずれ、後端部分が仕切材４４から外れ、落下することになる。しかし、図１４に示すように、落下した後端部分は、下層に位置している仕切材４４に引っ掛かることになり、上下のペーパー積層体４３を分離することが可能となる。
【００６６】
図１５は、仕切材４４の他の実施例を示すもので、図１５（ａ）は波形４４ａ、図１５（ｂ）は山形板４４ｂ及び図１５（ｃ）はノコギリ歯板４４ｃを示している。仕切手段の形状は図面に限定されるものではなく、半割のハート形の波形や不等辺三角形状の山形や図面とは歯の向きを逆にしたノコギリ歯状のもの等様々なものが考えられる。ペーパー積層体４３の端部が引っ掛かる形状であれば適宜のものが使用できる。
【００６７】
本実施例６により、重合された上下に位置するペーパー積層体４３が、下層の積層体４３を勢いよく引き抜いた際に生じる表面層と上層に位置する裏面層との摩擦により、上層の積層体４３が丸め込まれることを防止することが可能となる。
【参考例１】
【００６８】
図１６は、ペーパー重合体をペーパー重合体収納容器４５に収納した状態の斜視図を示している。該ペーパー重合体収納容器４５は、ペーパー積層体４６を配置するための空間４７、周囲の側壁４８、底部４９、蓋部及び該空間４７内に配置されたペーパー積層体４６を外方へ取り出すための取出口５０とより構成している。
【００６９】
上記ペーパー積層体４６は、上記実施例２に示すペーパー片をロール状に巻装したものである。該積層体４６は、ロール状に巻装し、所定間隔毎に切断ラインが形成され、且つ該切断ラインは突出端部５１を形成しているので、切断毎に取出口５０から該突出端部５１が外方へ突出することになる。図１６の収納容器４５は、ロール状積層体４６を２個併設している。
該図１６ではロール状積層体４６を２個併設しているが、これは１個でもロールの単位である４個でも８個でも良い。また、上記実施例同様、カートリッジ形式とすることも可能である。
【００７０】
上記ペーパー積層体が重なり合った重合体を保持するカートリッジは、上記のように反復使用するものであってもよいし、使いきり型のものであってもよい。例えば、ティッシュペーパーボックスのように、紙箱の一部に開口部を設け、該開口部をペーパー重合体収納容器の取出口と一致するように形成することでペーパー積層体を該取出口より順次取り出すことが可能となる。
また、ビニールのような薄手の袋状のもので囲繞されたペーパー重合体にあっては、収納物のペーパー積層体が減少する毎に該袋状物が縮んでくることになるので、該袋状物をペーパー重合体収納容器のどこかに固定することにより、形状を保持することができ、ペーパー積層体を順次取り出すことが可能となる。上記紙箱や袋状物は詰め替え時に取り出せばよい。
【参考例２】
【００７１】
上記実施例３〜６のペーパー積層体を収納した収納容器は、使用者が使用毎に突出端部を引くが、実施例２、３、６の収納容器においては、図１７（ａ）に示すように底部の上方にゴム製の無端帯式のベルト５２を形成し、ペーパー積層体５３がそのベルト５２上に載置され、収納容器の側壁に形成された作動機構と連動しているボタンスイッチにより、或いは手や指が近づいた時に作動する近接スイッチや動きを感知するスイッチ等によりベルト５２を一定時間、或いは一定距離だけ可動させ、該ペーパー積層体の突出端部を外方へ突出するようにすることができる。該無端帯式ベルト５２の表面には凹凸や滑り止め手段を設けておくことにより、ペーパー積層体５３を確実に送り出すことが可能となる。
【００７２】
また、図１７（ｂ）に示すように、縦方向にも無端帯式ベルト５４を設け、該ベルトを矢印方向に回転させ、同時に底部の無端帯式ベルト５２を同期させて回転させることにより、より確実にペーパー積層体５３を送り出すことができる。この場合、底部のベルト５２と縦方向のベルト５４との移動速度を減速歯車等を介在使用することで制御することができる。
【参考例３】
【００７３】
図１６に示すペーパー重合体収納容器４５において、該ペーパー積層体４６を巻装したロール状重合体の軸に装着される芯軸５５を、上記同様ボタンスイッチ、近接スイッチ、感知スイッチ等により制御させて所定角度回転させることにより、該ペーパー積層体４６の突出端部を外方へ突出させることができる。
【００７４】
上記無端帯式ベルト５２を、図１１に示すペーパー積層体を立設して横方向に重ねた収納容器においても採用することができる。この場合、側璧に沿うようにして無端帯式ベルトを設置し、該ペーパー積層体に接したベルトを容器の奥側から取出口側方向へ回転させることにより、該ペーパー積層体を確実に取り出すことができる。
【００７５】
上記で示したペーパー重合体収納容器は、例えばトイレに使用する場合、しゃがんだ状態でペーパー積層体を引き出すことができる位置に設置し、或いは男が立った状態で使用することも考えられるので、その場合は、その状態で使用できる位置に設置する。
また、ペーパー重合体収納容器は、従来のティッシュボックスのように容易に持ち運び自在となるように容器自体を軽量な材料で形成しておくことも可能である。
【図面の簡単な説明】
【００７６】
【図１】本発明のペーパー積層体単体の斜視図。
【図２（ａ）】本発明のペーパー積層体を製造する前のペーパー片の平面図。
【図２（ｂ）】本発明のペーパー積層体を製造する前のペーパー片の切断ラインの実施例の平面図。
【図２（ｃ）】本発明のペーパー積層体を製造する前のペーパー片の切断ラインの実施例の平面図。
【図３】ペーパー積層体の突出部を折り曲げる前の重ねた状態の斜視図。
【図４（ａ）】本発明のペーパー積層体の突出部を折り曲げて重ねた状態の断面図。
【図４（ｂ）】本発明のペーパー積層体を重ねた状態の平面図。
【図５】ペーパー積層体を重ねた状態の参考例の断面図。
【図６】ペーパー積層体を展開した状態の参考例の平面図。
【図７】本発明のペーパー重合体収納容器の斜視図。
【図８】本発明のペーパー重合体収納容器の断面図。
【図９】本発明のペーパー重合体収納容器の他の実施例の斜視図。
【図１０（ａ）】本発明のペーパー重合体収納容器に重合される積層体を重ねた状態の他の実施例の斜視図。
【図１０（ｂ）】本発明のペーパー重合体収納容器に重合される積層体を重ねた状態の他の実施例のＢ−Ｂ線断面図。
【図１１】本発明のペーパー重合体収納容器の他の実施例の一部断面斜視図。
【図１２】本発明のペーパー重合体収納容器の他の実施例の斜視図。
【図１３】本発明のペーパー重合体収納容器の他の実施例の断面図。
【図１４】本発明のペーパー重合体収納容器の他の実施例の断面図。
【図１５（ａ）】本発明のペーパー重合体収納容器の他の実施例の仕切材の他の例の断面図。
【図１５（ｂ）】本発明のペーパー重合体収納容器の他の実施例の仕切材の他の例の断面図。
【図１５（ｃ）】本発明のペーパー重合体収納容器の他の実施例の仕切材の他の例の断面図。
【図１６】ペーパー重合体収納容器の参考例の斜視図。
【図１７（ａ）】ペーパー重合体収納容器の参考例の断面図。
【図１７（ｂ）】ペーパー重合体収納容器の参考例の断面図。
【符号の説明】
【００７７】
１、７、１３、２２、２８、３７、４３、４６、５３    ペーパー積層体
２                                                  ペーパー片
３、９、１９、２７、３６、５１                      突出端部
４、１１                                            連結手段
５、６、１０                                        切断ライン
８                                                  ペーパー重合体
１２、２１、２９、３８、４１、４５                    ペーパー重合体収納容器
１４、４７                                            空間
１５、２３、３０、４８                                側壁
１６、２４、３１、４９                                底部
１７、２５、３２、３８                                蓋部
１８、２６、３３、５０                                取出口
２０                                                  重量物
３４                                                  押し出し板
３５                                                  弾発体
３９、４２                                            カートリッジ
４０                                                  紐
４４                                                  仕切材
５２、５４                                            無端帯式ベルト
５５                                                  芯軸
【要約】
【課題】柔軟なペーパー片を、必要とする所定枚数のものが瞬時に使用できるようにすると同時に、汚れの原因を排除することができ、ペーパーの取り出し時に発音することもなく、衛生的に使用することができる。更に、狭い空間を上手に使うことを可能としたペーパー重合体及びそれらのペーパー重合体を収納する容器に関する。
【解決手段】柔軟なペーパー片の複数枚若しくは少なくとも表裏面層のみを柔軟なペーパー片とし中間層を他の水溶性の片とした複数枚を相互に接合又はその複数枚の内の少なとも表裏面層を含むいくつかを接合し、一端部にはその端部の一部を切除して引き出し手段を突出させてペーパー積層体を形成し、該ペーパー積層体は、該引き出し手段を隣接するペーパー積層体の裏面側に回し込んで連続状態となるように重合してなることを特徴とするペーパー重合体。
【選択図】図７
【図１】
0003668248.tif 000002
【図２（ａ）】
0003668248.tif 000003
【図２（ｂ）】
0003668248.tif 000004
【図２（ｃ）】
0003668248.tif 000005
【図３】
0003668248.tif 000006
【図４（ａ）】
0003668248.tif 000007
【図４（ｂ）】
0003668248.tif 000008
【図５】
0003668248.tif 000009
【図６】
0003668248.tif 000010
【図７】
0003668248.tif 000011
【図８】
0003668248.tif 000012
【図９】
0003668248.tif 000013
【図１０（ａ）】
0003668248.tif 000014
【図１０（ｂ）】
0003668248.tif 000015
【図１１】
0003668248.tif 000016
【図１２】
0003668248.tif 000017
【図１３】
0003668248.tif 000018
【図１４】
0003668248.tif 000019
【図１５（ａ）】
0003668248.tif 000020
【図１５（ｂ）】
0003668248.tif 000021
【図１５（ｃ）】
0003668248.tif 000022
【図１６】
0003668248.tif 000023
【図１７（ａ）】
0003668248.tif 000024
【図１７（ｂ）】
0003668248.tif 000025